(57)【要約】  基地局は、無線端末へ無線信号を送信し、または無線端末からの無線信号を受信する無線処理部と、無線端末と基地局間の無線回線が切断され、かつ、無線端末が基地局を介して通信するために用いられる基地局と上位ノード間の上位回線が維持されているときに、無線回線を設定するための第１の設定情報及び上位回線を設定するための第２の設定情報の何れかが変更されると、第１の設定情報及び第２の設定情報のうちの変更された設定情報を、無線処理部を介して無線端末へ送信する制御部と、を有する。
2018142479.tif 000002
【特許請求の範囲】
【請求項１】
基地局であって、
無線端末へ無線信号を送信し、または前記無線端末からの無線信号を受信する無線処理部と、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を、前記無線処理部を介して前記無線端末へ送信する制御部と、
を有する基地局。
【請求項２】
前記制御部は、前記無線回線が切断され、かつ、前記上位回線が維持されているときに、前記第１の設定情報を識別するための第１の識別情報及び前記第２の設定情報を識別するための第２の識別情報の何れかが変更されると、前記第１の識別情報及び前記第２の識別情報のうちの当該変更された識別情報を、前記無線処理部を介して前記無線端末へ送信する、請求項１に記載の基地局。
【請求項３】
前記制御部は、前記無線回線が切断され、かつ、前記上位回線が維持されているときに、前記第１の設定情報を前記基地局と前記無線端末間で再設定する場合、前記無線処理部を介して前記無線端末へ前記第１の設定情報の再設定を要求し、かつ、当該再設定により前記第１の設定情報を更新する、請求項１または２に記載の基地局。
【請求項４】
前記制御部は、前記無線回線が切断され、かつ、前記上位回線が維持されているときに、前記第２の設定情報を前記基地局と前記無線端末と前記上位ノード間で再設定する場合、前記無線処理部を介して前記無線端末へ前記第２の設定情報の再設定を要求し、かつ、当該再設定により前記第２の設定情報を更新する、請求項１〜３の何れか一項に記載の基地局。
【請求項５】
他の基地局及び前記上位ノードと接続するためのインターフェース部をさらに有し、
前記制御部は、前記第１の設定情報及び前記第２の設定情報のうちの当該変更された設定情報を前記インターフェース部を介して前記他の基地局または前記上位ノードから受信する、請求項１に記載の基地局。
【請求項６】
他の基地局及び前記上位ノードと接続するためのインターフェース部をさらに有し、
前記制御部は、前記第１の識別情報及び前記第２の識別情報のうちの当該変更された識別情報を前記インターフェース部を介して前記他の基地局または前記上位ノードから受信する、請求項２に記載の基地局。
【請求項７】
基地局と、無線端末とを有する無線通信システムであって、
前記基地局は、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を前記無線端末へ送信し、
前記無線端末は、
前記無線回線が切断され、かつ、前記上位回線が維持されているときにおいて、前記変更された設定情報に基づいて前記無線回線を再接続して他の通信装置と通信する、
無線通信システム。
【請求項８】
無線端末であって、
基地局へ無線信号を送信し、または前記基地局からの無線信号を受信する無線処理部と、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を、前記無線処理部を介して受信し、当該変更された設定情報に基づいて前記無線回線を再接続して他の通信装置への信号を含む無線信号を前記無線処理部を介して前記基地局へ送信する制御部と、
を有する無線端末。
【請求項９】
基地局と、無線端末とを有する無線通信システムにおける無線通信方法であって、
前記基地局により、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を前記無線端末へ送信し、
前記無線端末により、
前記無線回線が切断され、かつ、前記上位回線が維持されているときにおいて、前記変更された設定情報に基づいて前記無線回線を再接続して他の通信装置と通信する、
ことを含む無線通信方法。
【発明の詳細な説明】
【技術分野】
【０００１】
本発明は、例えば、無線通信を行う基地局、無線端末、無線通信システム及び無線通信方法に関する。
【背景技術】
【０００２】
移動体通信システムといった無線通信システムにおいて、無線端末の電力消費を低減するために、間欠受信(Discontinuous Reception, DRX)機能が採用されている。例えば、移動体通信用の無線通信規格の一つである、Long Term Evolution(LTE)では、無線端末は、無線端末ごとに予め設定された周期(DRX周期と呼ばれる)ごとに、設定された時間区間（例えば、サブフレーム）においてウェイクアップする(または、稼働状態になる。あるいは待ち受け状態になる)。無線端末は、そのウェイクアップした時間区間において、送信される無線リソース割り当て情報（スケジューリング情報）を復調及び復号する。そして無線端末は、スケジューリング情報を参照して、自局に割り当てられたリソースの有無により、自局宛の着信があるか否かを確認する。一方、無線端末は、その設定された時間区間以外では、無線通信処理を行う回路のうち、そのような復調処理及び復号処理を実行する部分の動作をオフにして、消費電力を低減する。【０００３】
また、3GPPのワーキンググループによる、いわゆる第５世代移動通信システムの仕様の検討において、DRXよりも長期間の休止にも対応できるよう、Radio Resource Control(RRC) stateの一つとして、Inactive stateを追加することが提案されている。なお、第５世代移動通信システムは、LTE及びLTE-Advancedより後の移動体通信の標準規格である。【０００４】
Inactive stateでは、無線端末が通信を停止している期間中であっても、基地局と上位ノード間の回線（以下、上位回線と呼ぶ）（例えば、Context）が切断されずに維持（設定）される。一方、基地局と無線端末間の無線回線が切断される（例えば、非特許文献１〜３を参照）。なお、上位回線と無線回線が設定されている状態をRRC connected state(またはRRC Connected)と呼び、上位回線と無線回線が切断されている状態をRRC Idle state(またはIdle、待ち受け)と呼ぶ。Inactive stateは、RRC Connected stateとRRC Idle stateの中間に位置する状態と解釈することもできる。
【先行技術文献】
【非特許文献】
【０００５】
【非特許文献１】Tdoc R2-162760, Ericsson, Handling of inactive UEs, 3GPP TSG-RAN WG2 #93bis, Dubrovnik, Croatia, April 11-15, 2016
【非特許文献２】Tdoc R2-166059, Sierra Wireless, Transmission of Data Grant-Free in New State, 3GPP TSG-RAN WG2 #95bis, Kaohsiung, Taiwan, October 10-14, 2016
【非特許文献３】Tdoc R2-166060, Samsung, Design principles for the new RAN controlled state, 3GPP TSG-RAN WG2 #95bis, Kaohsiung, Taiwan, October 10-14, 2016
【発明の概要】
【発明が解決しようとする課題】
【０００６】
Inactive stateにおいて、無線端末が基地局を介して通信するための回線設定情報を記憶しておき、無線端末が通信を再開する際に、記憶された回線設定情報を利用することで、通信再開時の制御情報の通信の一部を省略可能とするResume機能が提案されている。Resume機能に関して、記憶される回線設定情報は、例えば、識別情報(以下、Resume IDと呼ぶ)と関連付けて管理される。したがって、無線端末が通信を再開する際に、無線端末と基地局間でResume IDが伝送され、無線端末と基地局が同じResume IDに対応する回線設定情報を利用することで、無線端末は通信を再開することが可能となる。また、この回線設定情報及びResume IDを利用することで、通信再開時に必要な制御情報の通信量が削減される。【０００７】
そのため、Inactive stateを導入することにより、例えば、いわゆるモノのインターネット(Internet of Things, IoT)で用いられる無線端末のように、例えば、1日に1回、あるいは、より低い頻度で通信するデバイスの消費電力を削減することが期待されている。【０００８】
しかしながら、無線端末が、Inactive stateとなって通信を停止している期間中に、回線設定情報またはResume IDを変更することが求められる事態が生じることがある。このような場合、無線端末が通信を再開しようとした場合に、保持されている回線設定情報及びResume IDを用いても、通信を再開できないことがある。【０００９】
一つの側面では、本発明は、無線端末が通信を停止している期間中において、その無線端末について維持されている回線設定情報を変更することが可能な基地局を提供することを目的とする。
【課題を解決するための手段】
【００１０】
一つの実施形態によれば、基地局が提供される。この基地局は、無線端末へ無線信号を送信し、または無線端末からの無線信号を受信する無線処理部と、無線端末と基地局間の無線回線が切断され、かつ、無線端末が基地局を介して通信するために用いられる基地局と上位ノード間の上位回線が維持されているときに、無線回線を設定するための第１の設定情報及び上位回線を設定するための第２の設定情報の何れかが変更されると、第１の設定情報及び第２の設定情報のうちの変更された設定情報を、無線処理部を介して無線端末へ送信する制御部と、を有する。【００１１】
他の実施形態によれば、基地局と無線端末とを有する無線通信システムが提供される。この無線通信システムにおいて、基地局は、無線端末と基地局間の無線回線が切断され、かつ、無線端末が基地局を介して通信するために用いられる基地局と上位ノード間の上位回線が維持されているときに、無線回線を設定するための第１の設定情報及び上位回線を設定するための第２の設定情報の何れかが変更されると、第１の設定情報及び第２の設定情報のうちの変更された設定情報を無線端末へ送信する。無線端末は、無線回線が切断され、かつ、上位回線が維持されているときにおいて、受信した、変更された設定情報に基づいて無線回線を再接続して他の通信装置と通信する。【００１２】
また他の実施形態によれば、無線端末が提供される。この無線端末は、基地局へ無線信号を送信し、または基地局からの無線信号を受信する無線処理部と、無線端末と基地局間の無線回線が切断され、かつ、無線端末が基地局を介して通信するために用いられる基地局と上位ノード間の上位回線が維持されているときに、無線回線を設定するための第１の設定情報及び上位回線を設定するための第２の設定情報の何れかが変更されると、第１の設定情報及び第２の設定情報のうちの変更された設定情報を、無線処理部を介して受信し、変更された設定情報に基づいて無線回線を再接続して他の通信装置への信号を含む無線信号を無線処理部を介して基地局へ送信する制御部と、を有する。【００１３】
さらに他の実施形態によれば、基地局と無線端末とを有する無線通信システムにおける無線通信方法が提供される。この無線通信方法は、基地局により、無線端末と基地局間の無線回線が切断され、かつ、無線端末が基地局を介して通信するために用いられる基地局と上位ノード間の上位回線が維持されているときに、無線回線を設定するための第１の設定情報及び上位回線を設定するための第２の設定情報の何れかが変更されると、第１の設定情報及び第２の設定情報のうちの変更された設定情報を無線端末へ送信し、無線端末により、無線回線が切断され、かつ、上位回線が維持されているときにおいて、受信した、変更された設定情報に基づいて無線回線を再接続して基地局を介して他の通信装置と通信する、ことを含む。
【発明の効果】
【００１４】
本明細書に開示された基地局は、無線端末が通信を停止している期間中において、その無線端末について維持されている回線設定情報を変更することができる。
【図面の簡単な説明】
【００１５】
【図１】図１は、一つの実施形態による無線通信システムの概略構成図である。
【図２】図２は、一例による、Resume設定変更処理を含む、無線通信処理のシーケンス図である。
【図３】図３は、他の一例による、Resume設定変更処理を含む、無線通信処理のシーケンス図である。
【図４】図４は、他の一例による、Resume設定変更処理を含む、無線通信処理のシーケンス図である。
【図５】図５は、他の一例による、Resume設定変更処理を含む、無線通信処理のシーケンス図である。
【図６】図６は、他の一例による、Resume設定変更処理を含む、無線通信処理のシーケンス図である。
【図７】図７は、他の一例による、Resume設定変更処理を含む、無線通信処理のシーケンス図である。
【図８】図８は、他の一例による、Resume設定変更処理を含む、無線通信処理のシーケンス図である。
【図９】図９は、他の一例による、Resume設定変更処理を含む、無線通信処理のシーケンス図である。
【図１０】図１０は、他の一例による、Resume設定変更処理を含む、無線通信処理のシーケンス図である。
【図１１】図１１は、他の一例による、Resume設定変更処理を含む、無線通信処理のシーケンス図である。
【図１２】図１２は、基地局の概略構成図である。
【図１３】図１３は、無線端末の概略構成図である。
【発明を実施するための形態】
【００１６】
以下、図を参照しつつ、無線通信システム、及び、その無線通信システムで利用される基地局、無線端末及び無線通信方法について説明する。この無線通信システムは、Resume機能に対応し、Resume機能にて維持される回線設定情報を、上位回線に関する設定情報と無線回線に関する設定情報とに区別して、それぞれに識別情報を付して管理する。そして、無線端末がInactive stateとなって通信を停止している間に、何れかの回線に関する設定情報または識別情報を変更する必要が生じたときに、基地局は、無線端末に回線設定情報の変更内容を伝送するか、無線端末に回線設定情報の再設定を要求する。これにより、この無線通信システムは、無線端末が通信を停止している間にその無線端末について維持されている回線設定に関する情報を変更することができる。
【００１７】
なお、以下では、基地局と無線端末間の無線回線に関する回線設定情報を、無線回線設定情報と呼ぶ。また、無線端末が基地局を介して通信するために用いられる上位回線に関する回線設定情報を、上位回線設定情報と呼ぶ。そして無線回線設定情報と対応付けられる識別情報をResume1 IDと呼び、上位回線設定情報と対応付けられる識別情報をResume2 IDと呼ぶ。また、Resume1 IDとResume2 IDとをまとめて、Resume IDと呼ぶことがある。さらに、以下では、無線回線設定情報と上位回線設定情報とをまとめて、単に回線設定情報と呼ぶことがある。さらに、無線回線設定情報と上位回線設定情報とは、それらをまとめた回線設定情報として管理されてもよい。
【００１８】
無線回線設定情報には、例えば、RRC Connection Reconfigurationにて規定される情報、例えば、チャネルの設定情報及びmultiple-input and multiple-output(MIMO)の適用可否に関する情報などの少なくとも一つが含まれる。また、無線回線設定情報には、システム情報の一部が含まれてもよい。例えば、無線回線設定情報には、システム情報の一部として、周波数帯域幅、サブキャリア数あるいはサブキャリア間隔といった無線リソースに関する情報が含まれてもよい。さらに、無線端末と基地局間の無線通信においてFiltered Orthogonal Frequency Division Multiplexing(F-OFDM)が採用されることがある。この場合には、無線回線設定情報には、システム情報の一部として、使用される周波数、周波数帯域幅、サブキャリア間隔、シンボル長、隣接セル情報、及びセル選択用パラメータが含まれてもよい。さらに、無線回線設定情報には、符号化率、符号化方式及び変調方式が含まれていてもよい。
【００１９】
一方、上位回線設定情報には、例えば、Context関連の情報、Quality of Service(QoS)設定に関する情報、及び、ベアラ設定またはフロー設定に関する情報のうち、少なくとも何れか一つが含まれる。
【００２０】
なお、本明細書において、Node B、 eNode B、gNode Bまたはアクセスポイントなどは、基地局の一例である。さらに、移動局、移動端末またはUser Equipment(UE)は、無線端末の一例である。
【００２１】
図１は、一つの実施形態による無線通信システムの概略構成図である。無線通信システム１は、基地局１１と、無線端末１２と、上位ノード１３とを含む。そして基地局１１と無線端末１２とは、互いに無線通信により信号を伝送する。なお、無線通信システム１に含まれる基地局１１の数は１台に限られず、無線通信システム１は、複数の基地局１１を含んでもよい。同様に、無線通信システム１は、複数の無線端末１２を含んでいてもよい。また、無線端末１２は、移動端末であってもよく、あるいは、固定式の通信装置であってもよい。
【００２２】
基地局１１は、無線端末１２と上位ノード１３間の通信を中継する。そのために、基地局１１は、例えば、S1インターフェースといった、上位ノード１３と基地局１１間の通信について規定される所定の通信規格に従って上位ノード１３と接続されている。また基地局１１は、例えば、X2インターフェースといった、基地局同士の通信について規定される所定の通信規格に従って他の基地局と接続されていてもよい。
【００２３】
基地局１１は、１以上のセルを設定する。例えば、基地局１１が設定した何れかのセルに無線端末１２が在圏していると、無線端末１２は基地局１１と無線通信可能となる。そして基地局１１は、無線通信可能な無線端末１２との間で、ランダムアクセス手順など、無線回線を設定する手順及び上位回線を設定する手順を実行する。その後、基地局１１は、無線端末１２宛ての通信信号を、コアネットワークから上位ノード１３を介して受け取って、ダウンリンクの無線信号として無線端末１２へ送信する。また、基地局１１は、無線端末１２からアップリンクの無線信号を受け取り、その無線信号に含まれる、他の通信装置（図示せず）への通信信号を取り出して、上位ノード１３へその通信信号を送信する。
【００２４】
また、無線端末１２がResume機能を使用可能なように、基地局１１は、無線端末１２に関する上位回線設定情報及び無線回線設定情報のそれぞれに、Resume IDを付す。そして基地局１１は、上位回線設定情報及び無線回線設定情報を、対応するResume IDとともに記憶する。さらに、基地局１１は、無線端末１２が基地局１１との無線通信を継続している間、すなわち、無線端末１２がConnected stateとなっている間に、無線回線設定情報及びResume1 IDを無線端末１２へ通知する。
その後、基地局１１は、無線回線設定情報及び上位回線設定情報の何れか、またはResume1 ID及びResume2 IDの何れかを変更する必要が生じたときに、Resume設定変更処理を実行する。なお、Resume設定変更処理の詳細については後述する。
【００２５】
無線端末１２は、Resume機能を利用可能な無線端末であり、例えば、Connected stateにおいて上位回線及び無線回線の設定が行われた後、Inactive stateとなって通信を停止する。すなわち、無線端末１２と基地局１１との無線回線が切断されても、無線端末１２に関する上位回線は維持された状態となる。また無線端末１２についての無線回線設定情報及び上位回線設定情報は基地局１１にて保持及び管理される。そして無線端末１２は、一定の周期（例えば、数時間、数日、１ヶ月等）または特定のイベントが発生したときに、保持されている無線回線設定情報及び上位回線設定情報を利用して、無線回線を再接続して、他の通信装置（図示せず）との通信を再開する。
【００２６】
上位ノード１３は、例えば、Serving Gateway(S-GW)、Mobility Management Entity(MME)及びPacket data network Gateway(P-GW)を有し、コアネットワークと基地局１１間の通信を中継する。さらに、上位ノード１３は、無線端末１２の位置登録及び基地局間のハンドオーバなどに関する制御を実行したり、QoSに関する制御及び課金等に関する制御を実行したりする。また上位ノード１３は、ベアラの確立あるいは削除といった、上位回線に関する制御を実行する。
【００２７】
以下、Resume設定変更処理の詳細について説明する。例えば、無線端末に提供されるサービスの変更、追加、または削除が生じる場合、基地局の負荷状況が回線設定時と通信再開時とで異なる場合に、回線設定情報またはResume IDの変更が必要となることがある。また、無線端末が接続されるセルまたは通信を待ち受けるセル（以下、キャンプオンするセルと呼ぶ）が、回線設定時と通信再開時とで異なる場合にも、回線設定情報またはResume IDの変更が必要となることがある。このような場合に、Resume設定変更処理が実行される。
【００２８】
基地局１１は、下記の４通りのケースにおいて、Inactive stateとなっている無線端末１２に対して、Resume設定変更処理を実行する。
（１）Resume1 IDまたは無線回線設定を維持できなくなったとき
（２）無線端末１２が接続されるセルまたはキャンプオンするセルが、基地局１１と接続される上位ノード１３に接続される他の基地局が提供するセルに変更になったとき
（３）Resume2 IDまたは上位回線設定を維持できなくなったとき
（４）無線端末１２が接続されるセルまたはキャンプオンするセルが、基地局１１と接続される上位ノード１３とは異なる上位ノードと接続される他の基地局が提供するセルに変更になったとき
【００２９】
また、（１）〜（４）のそれぞれについて、下記の４通りのケースについて、基地局１１は、互いに異なるシーケンスに従ってResume設定変更処理を実行する。
（ａ）変更のある回線設定情報についてResume IDが維持可能であり、基地局１１が無線端末１２へ設定変更内容を通知する場合
（ｂ１）変更のある回線設定情報についてResume IDが維持不可能で、かつ、基地局１１が無線端末１２へResume ID及び設定変更内容を通知する場合
（ｂ２）変更のある回線設定情報についてResume IDが維持不可能で、かつ、基地局１１が無線端末１２について回線再設定を実施または無線端末１２へ回線再設定を要求する場合
（ｂ３）変更のある回線設定情報についてResume IDが維持不可能で、かつ、基地局１１が無線端末１２について無線回線再設定を実施（すなわち、ランダムアクセスを再実施）または無線端末１２へ無線回線再設定を要求する場合
【００３０】
なお、（１）のケースにおいて、（ａ）〜（ｂ３）のケースに該当するのは、例えば、下記の通りである。なお、下記のケースは、単なる例であり、（ａ）〜（ｂ３）のケースに該当するのは、下記のケースに限定されない。また、例えば3GPPで規定されたなどの無線回線設定または回線設定に関わる制御であれば限定されるものではない。
（ａ）に該当するケース
無線伝送に関する設定、例えば、変調方式、符号化方式あるいは符号化率の変更
（ｂ１）に該当するケース
無線端末１２へ割り当てたResume IDが他の無線端末へ割り当てるResume IDと重複する事態の発生、あるいは、基地局１１が自局が提供するセル内に在圏する各無線端末へ提供するサービスの変更。また、これらに伴う、変調方式、符号化方式あるいは符号化率の変更
（ｂ２）に該当するケース
例えば、無線端末１２に関する通信設定またはサービス設定であるQoS、あるいはQCIの変更
（ｂ３）に該当するケース
物理層に関する設定、例えば、シンボル長、あるいはサブキャリア等の変更
【００３１】
図２は、（１）かつ（ａ）のケースにおける、Resume設定変更処理を含む、無線通信処理のシーケンス図である。
基地局１１と無線端末１２は、例えば、ランダムアクセス手順に従って無線回線設定処理を実行する（ステップＳ１０１）。さらに、基地局１１と無線端末１２は、上位ノード１３とともに、Context setupなどの上位回線設定を含む回線設定処理を実行する（ステップＳ１０２）。
【００３２】
基地局１１は、無線端末１２についての無線回線設定情報にResume1 IDを割り当て、かつ、上位回線設定情報にResume2 IDを割り当てて、それら回線設定情報とともにResume1 ID及びResume2 IDを記憶する（ステップＳ１０３）。なお、基地局１１は、無線端末ごとに異なるResume IDを割り当ててもよく、あるいは、同じサービスの提供を受ける無線端末ごとに異なるResume IDを割り当ててもよい。あるいはまた、基地局１１は、無線端末１２が在圏するセルごとに異なるResume IDを割り当ててもよい。さらに、基地局１１は、上記のResume IDの割り当て方法を、Resume1 IDとResume2 IDとで異ならせてもよい。そして基地局１１は、Resume ID(Resume1 ID及びResume2 IDを含む)を無線端末１２へ通知する（ステップＳ１０４）。その際、基地局１１は、例えば、物理下り制御チャネル(Physical Downlink Control Channel, PDCCH)または物理下り共有チャネル(Physical Downlink Shared Channel, PDSCH)を介して、Resume IDを通知すればよい。また、基地局１１は、上位回線設定情報とResume2 IDとを、上位ノード１３へ送信してもよい。無線端末１２は、通知されたResume IDを、ステップＳ１０１及びＳ１０２の処理により設定された回線設定情報とともに記憶する。
【００３３】
その後、無線端末１２がConnected stateからInactive stateへ遷移した後に、無線回線設定情報を変更することが要求される事態が生じると、基地局１１は、無線回線設定情報を変更する。さらに、基地局１１は、無線回線設定情報の変更に伴って、上位回線接続情報の変更も必要になる場合には、上位回線接続情報も変更する。そして基地局１１は、変更された回線設定情報を無線端末１２に割り当てられたResume IDとともに記憶する（ステップＳ１０５）。
【００３４】
回線設定情報の変更後、基地局１１は、無線端末１２に対するページング処理（呼び出し処理とも呼ばれる。以降では、ページング処理と呼ぶ）を行って、無線端末１２を呼び出す（ステップＳ１０６）。無線端末１２を呼び出した後、基地局１１は、回線設定情報の変更内容を無線端末１２へ通知する（ステップＳ１０７）。無線端末１２は、通知された変更内容にて更新した回線設定情報を、Resume IDとともに記憶する（ステップＳ１０８）。
【００３５】
その後、無線端末１２は、Inactive stateとなっている間、通信を再開する際に、記憶している回線設定情報を利用して無線回線を再接続し、他の通信装置へのアップリンクのデータをResume IDとともに基地局１１へ送信する（ステップＳ１０９）。その際、無線端末１２及び基地局１１は、例えば、非特許文献１に記載された方法に従って、通信再開時の回線設定を行ってもよい。そして基地局１１及び無線端末１２は無線通信処理を終了する。なお、このシーケンスにおいて、ステップＳ１０５〜Ｓ１０８が、Resume設定変更処理に含まれる。
【００３６】
また、ステップＳ１０６のページング処理は省略されてもよい。この場合には、無線端末１２がConnected stateとなっている間に、基地局１１と無線端末１２とは、無線端末１２がInactive stateとなっている間において無線端末１２がウェイクアップする(または、稼働状態になる、あるいは待ち受け状態になる)期間及びその期間中に使用されるリソースを設定する。そして基地局１１は、無線端末１２がウェイクアップしている期間中に、設定したリソースを利用して、変更後の回線設定情報を無線端末１２へ通知すればよい。なお、以下に説明する他のケースのResume設定変更処理のシーケンスについても同様に、特に言及されない限り、ページング処理は省略されてもよい。
【００３７】
図３は、（１）かつ（ｂ１）のケースにおける、Resume設定変更処理を含む、無線通信処理のシーケンス図である。なお、図３に示されるシーケンスは、図２に示されるシーケンスと比較して、ステップＳ１１５以降の処理が異なる。そこで以下では、ステップＳ１１５以降の処理について説明する。
【００３８】
ステップＳ１０４の後、無線端末１２がConnected stateからInactive stateへ遷移した後に、無線回線設定情報及びResume1 IDを変更することが要求される事態が生じると、基地局１１は、無線回線設定情報を変更する。さらに、基地局１１は、無線端末１２に対して割り当てたResume1 IDをResume1 ID'に変更する。さらに、無線回線設定情報の変更に伴って、上位回線設定情報の変更も必要になる場合には、基地局１１は、上位回線設定情報も変更する。さらにまた、Resumu2 IDの変更も必要になる場合には、基地局１１は、Resume2 IDも変更する。そして基地局１１は、変更後の回線設定情報と変更後のResume ID'(少なくともResume1 ID'を含む)とともに記憶する（ステップＳ１１５）。
【００３９】
回線設定情報及びResume IDの変更後、基地局１１は、無線端末１２に対するページング処理を行って、無線端末１２を呼び出す（ステップＳ１１６）。無線端末１２を呼び出した後、基地局１１は、回線設定情報の変更内容及び変更後のResume ID'を無線端末１２へ通知する（ステップＳ１１７）。無線端末１２は、通知された変更内容で回線設定情報を更新し、更新された回線設定情報を変更後のResume ID'とともに記憶する（ステップＳ１１８）。
【００４０】
その後、無線端末１２は、Inactive stateとなっている間、通信を再開する際に、記憶している回線設定情報を利用して無線回線を再接続し、他の通信装置へのアップリンクのデータを変更後のResume ID'とともに基地局１１へ送信する（ステップＳ１１９）。その際、無線端末１２及び基地局１１は、例えば、非特許文献１に記載された方法に従って、通信再開時の回線設定を行ってもよい。そして基地局１１及び無線端末１２は無線通信処理を終了する。なお、このシーケンスにおいて、ステップＳ１１５〜Ｓ１１８が、Resume設定変更処理に含まれる。
【００４１】
図４は、（１）かつ（ｂ２）のケースにおける、Resume設定変更処理を含む、無線通信処理のシーケンス図である。なお、図４に示されるシーケンスは、図２に示されるシーケンスと比較して、ステップＳ１２５以降の処理が異なる。そこで以下では、ステップＳ１２５以降の処理について説明する。
【００４２】
ステップＳ１０４の後、無線端末１２がConnected stateからInactive stateへ遷移した後に、無線回線設定情報の変更が要求される事態が生じたとする。さらに、無線回線設定情報の変更に伴って、上位回線設定の少なくとも一部について、無線端末１２との間で再設定処理が必要で、かつ、Resume IDを変更することが要求される事態が生じたとする。この場合、基地局１１は、無線回線設定情報を変更するとともに、上位回線設定情報のうち、再設定処理が不要な情報を事前に更新してもよい。さらに、基地局１１は、無線端末１２に対して割り当てたResume1 IDをResume1 ID'に変更する。さらに、基地局１１は、無線端末１２に対して割り当てたResume2 IDをResume2 ID'に変更してもよい。そして基地局１１は、変更後の回線設定情報を変更後のResume ID'とともに記憶する（ステップＳ１２５）。
【００４３】
回線設定情報及びResume IDの変更後、基地局１１は、無線端末１２に対するページング処理を行って、無線端末１２を呼び出す（ステップＳ１２６）。無線端末１２を呼び出した後、基地局１１は、無線端末１２に対して上位回線設定情報の再設定を要求する（ステップＳ１２７）。そして基地局１１と無線端末１２は、Context setupなどの上位回線設定を含む回線設定処理を再度実行することで、上位回線設定情報を変更する（ステップＳ１２８）。そして基地局１１は、変更後の上位回線設定情報をResume2 IDまたは変更後のResume2 ID'とともに記憶する（ステップＳ１２９）。また、基地局１１は、変更後の上位回線設定情報とResume2 ID'とを、上位ノード１３へ送信してもよい。
【００４４】
そして基地局１１は、変更後のResume ID'と、無線回線設定情報の変更点を無線端末１２へ通知する（ステップＳ１３０）。無線端末１２は、通知された変更点により無線回線設定情報を更新し、更新された無線回線設定情報及び再設定された上位回線設定情報を、通知された変更後のResume ID'とともに記憶する（ステップＳ１３１）。
【００４５】
その後、無線端末１２は、Inactive stateとなっている間、通信を再開する際に、記憶している回線設定情報を利用して無線回線を再接続し、他の通信装置へのアップリンクのデータを変更後のResume ID'とともに基地局１１へ送信する（ステップＳ１３２）。その際、無線端末１２及び基地局１１は、例えば、非特許文献１に記載された方法に従って、通信再開時の回線設定を行ってもよい。そして基地局１１及び無線端末１２は無線通信処理を終了する。なお、このシーケンスにおいて、ステップＳ１２５〜Ｓ１３１が、Resume設定変更処理に含まれる。
【００４６】
図５は、（１）かつ（ｂ３）のケースにおける、Resume設定変更処理を含む、無線通信処理のシーケンス図である。なお、図５に示されるシーケンスは、図２に示されるシーケンスと比較して、ステップＳ１４５以降の処理が異なる。そこで以下では、ステップＳ１４５以降の処理について説明する。
【００４７】
ステップＳ１０４の後、無線端末１２がConnected stateからInactive stateへ遷移した後に、無線回線設定情報の再設定及びResume IDを変更することが要求される事態が生じたとする。この場合、基地局１１は、無線回線設定情報のうち、再設定処理が不要な情報、例えば、変調方式、符号化方式あるいは符号化率などを事前に更新してもよい。さらに、基地局１１は、無線端末１２に対して割り当てたResume1 IDをResume1 ID'に変更する。これに伴い、上位回線設定情報及びResume2 IDの変更も必要な場合、基地局１１は、上位回線設定情報及びResume2 IDも変更する。そして基地局１１は、変更後の回線設定情報を変更後のResume ID'とともに記憶する（ステップＳ１４５）。
【００４８】
回線設定情報及びResume IDの変更後、基地局１１は、無線端末１２に対するページング処理を行って、無線端末１２を呼び出すとともに、無線端末１２に対してランダムアクセスの実施を要求する（ステップＳ１４６）。その際、基地局１１は、無線端末１２に対する、変更前の無線回線設定情報を利用して、ページング及びランダムアクセスの実施を要求する。あるいは、基地局１１は、無線端末１２が変更前の無線回線設定情報を用いても、ページング及びランダムアクセスの実施の要求を受信できる程度に、変更前の無線回線設定情報に近い無線回線設定情報を用いて、ページングなどの実施を要求してもよい。
【００４９】
ランダムアクセスの実施が要求された後、基地局と無線端末１２は、ランダムアクセス手順に従って無線回線設定処理を再度実行する（ステップＳ１４７）。さらに、基地局１１と無線端末１２は、Context setupなどの上位回線設定を含む回線設定処理を再度実行することで、上位回線設定を変更する（ステップＳ１４８）。なお、再設定処理が必要となる情報に、上位回線設定情報に含まれるものが無い場合には、ステップＳ１４８の処理は省略されてもよい。そして基地局１１は、変更後の回線設定情報を変更後のResume ID'とともに記憶する（ステップＳ１４９）。また、基地局１１は、変更後の上位回線設定情報と変更後のResume2 ID'とを、上位ノード１３へ送信してもよい。
【００５０】
そして基地局１１は、変更後のResume ID'を無線端末１２へ通知する（ステップＳ１５０）。無線端末１２は、通知された変更後のResume ID'とともに、変更後の回線設定情報を記憶する（ステップＳ１５１）。
【００５１】
その後、無線端末１２は、Inactive stateとなっている間、通信を再開する際に、記憶している回線設定情報を利用して無線回線を再接続し、他の通信装置へのアップリンクのデータを変更後のResume ID'とともに基地局１１へ送信する（ステップＳ１５２）。その際、無線端末１２及び基地局１１は、例えば、非特許文献１に記載された方法に従って、通信再開時の回線設定を行ってもよい。そして基地局１１及び無線端末１２は無線通信処理を終了する。なお、このシーケンスにおいて、ステップＳ１４５〜Ｓ１５１が、Resume設定変更処理に含まれる。
【００５２】
次に、（２）のケース、すなわち、無線端末１２が接続されるセルまたはキャンプオンするセルが、基地局１１と接続される上位ノード１３に接続される他の基地局が提供するセルに変更になったときにおける、Resume設定変更処理について説明する。
【００５３】
（２）のケースは、例えば、無線端末１２が基地局１１と接続されているときに、無線端末１２が接続先を他の基地局へ変更することを基地局１１へ通知したとき、あるいは、基地局１１が無線端末１２の接続先を他の基地局へ変更すると判定したときに生じる。特に、後者については、例えば、無線端末１２が移動する場合に、基地局１１は、無線端末１２の接続先を他の基地局へ変更すると判定する。この場合、例えば、基地局１１は、無線端末１２から過去に受信したmeasurement reportに含まれる、無線回線品質に関する情報に基づいて、無線端末１２の接続先を変更するか否かを判定する。そして基地局１１は、接続先を変更すると判定した場合、変更先の他の基地局を無線端末１２へ通知する。また、無線端末１２が授受するサービスの追加、変更または削除に伴うキャンプオン先のセルに変更が生じた場合も、基地局１１は、無線端末１２の接続先を他の基地局へ変更すると判定してもよい。さらに、基地局１１の負荷を分散するために、基地局１１は、無線端末１２の接続先を他の基地局へ変更すると判定してもよい。
【００５４】
さらにまた、基地局１１が提供するサービスの変更により、セルの変更が生じる場合には、基地局１１は、そのサービスを受ける全ての無線端末に対して、以下に示す図６または図７のシーケンスに従ってResume設定変更処理を実行してもよい。
【００５５】
（２）のケースでは、基地局１１は、接続変更先の他の基地局（以下、ターゲット基地局と呼ぶ）へ、無線端末１２についての上位回線設定情報及び無線回線設定情報とResume IDとを通知する。そしてターゲット基地局は、通知された上位回線設定情報及び無線回線設定情報とResume IDを維持できるか否かを判定し、維持できる場合、その旨を基地局１１を介して無線端末１２へ通知する。
【００５６】
図６は、（２）かつ（ａ）のケースにおける、Resume設定変更処理を含む、無線通信処理のシーケンス図である。なお、以下では、最初にResume設定が行われ、無線端末１２が接続される基地局（例えば、基地局１１）をソース基地局と呼ぶ。
ソース基地局と無線端末１２は、例えば、ランダムアクセス手順に従って無線回線設定処理を実行する（ステップＳ２０１）。さらに、ソース基地局と無線端末１２は、上位ノード１３とともに、Context setupなどの上位回線設定を含む回線設定処理を実行する（ステップＳ２０２）。
【００５７】
ソース基地局は、無線端末１２についての無線回線設定情報にResume1 IDを割り当て、かつ、上位回線設定情報にResume2 IDを割り当てて、それら回線設定情報とともにResume1 ID及びResume2 IDを記憶する（ステップＳ２０３）。なお、ソース基地局は、無線端末ごとに異なるResume IDを割り当ててもよく、あるいは、同じサービスの提供を受ける無線端末ごとに異なるResume IDを割り当ててもよい。あるいはまた、ソース基地局は、無線端末１２が在圏するセルごとに異なるResume IDを割り当ててもよい。さらに、ソース基地局は、上記のResume IDの割り当て方法を、Resume1 IDとResume2 IDとで異ならせてもよい。そしてソース基地局は、Resume IDを無線端末１２へ通知する（ステップＳ２０４）。また、ソース基地局は、上位回線設定情報とResume2 IDとを、上位ノード１３へ送信してもよい。
【００５８】
無線端末１２は、ソース基地局との接続に利用しているセルだけでなく、他の基地局が提供するセルについての無線回線品質（例えば、信号対雑音比または信号対干渉及び雑音比など）を測定する（ステップＳ２０５）。そして無線端末１２は、その無線回線品質測定結果を含むmeasurement reportを、ソース基地局へ送信する（ステップＳ２０６）。
【００５９】
無線端末１２がConnected stateからInactive stateへ遷移した後に、ソース基地局は、無線端末１２について接続またはキャンプオンするセルを変更することが求められる事態が生じると、無線端末１２が接続またはキャンプオンするセルを選択する（ステップＳ２０７）。その際、ソース基地局は、例えば、無線端末１２から受信した無線回線品質測定結果を参照して、例えば、最も無線回線品質が良いセル、あるいは、無線回線品質が所定の条件を満たすセルの中から何れかのセルを接続変更先のセルとして選択すればよい。そしてソース基地局は、接続変更先のセルを提供するターゲット基地局へ、無線端末１２についての無線回線設定情報及びResume1 ID、上位回線設定情報及びResume2 IDを通知する（ステップＳ２０８）。なお、ソース基地局とターゲット基地局間の回線設定情報及びResume ID等の伝送は、例えば、X2インターフェースに従った通信回線を通じて、上位ノード１３を介さずに実行されればよい。
【００６０】
ターゲット基地局は、無線回線設定、上位回線設定及びResume IDの変更が必要か否かを判定し、必要な変更を実行する（ステップＳ２０９）。そしてこの例では、ターゲット基地局は、回線設定情報の変更内容及びResume IDが維持されることをソース基地局へ通知する（ステップＳ２１０）。なお、ターゲット基地局は、回線設定情報に変更が無い場合には、その旨及びResume IDが維持されることをソース基地局へ通知してもよい。
【００６１】
ソース基地局は、ターゲット基地局から回線設定情報の変更内容及びResume IDが維持されることを通知されると、無線端末１２に対するページング処理を行って、無線端末１２を呼び出す（ステップＳ２１１）。無線端末１２を呼び出した後、ソース基地局は、回線設定情報の変更点及びResume IDが維持されることを無線端末１２へ通知する（ステップＳ２１２）。なお、通知される無線回線設定情報には、ターゲット基地局が提供し、かつ、無線端末１２の接続先またはキャンプオン先となるセルの情報が含まれていてもよい。
【００６２】
そして無線端末１２は、通知された変更点により回線設定情報を更新し、Resume IDとともに記憶する（ステップＳ２１３）。また、無線端末１２は、変更後の回線設定情報を利用して、回線設定情報が変更されたことを確認するAck信号をターゲット基地局へ送信する（ステップＳ２１４）。なお、Ack信号には、例えば、Resume IDが含まれていてもよい。さらに、Ack信号には、無線端末１２が受け取った回線設定情報の変更内容、または変更後の回線設定情報が含まれていてもよい。
【００６３】
その後、無線端末１２は、Inactive stateとなっている間、通信を再開する際に、記憶している回線設定情報を利用して無線回線を再接続し、他の通信装置へのアップリンクのデータをResume IDとともにターゲット基地局へ送信する（ステップＳ２１５）。その際、無線端末１２及びターゲット基地局は、例えば、非特許文献１に記載された方法に従って、通信再開時の回線設定を行ってもよい。そしてソース基地局、ターゲット基地局及び無線端末１２は無線通信処理を終了する。なお、このシーケンスにおいて、ステップＳ２０７〜Ｓ２１４が、Resume設定変更処理に含まれる。また、ステップＳ２０５〜Ｓ２０７の代わりに、無線端末１２が接続先のセルを変更することを決定し、変更後の接続先のセルを選択して、選択したセルの識別情報をソース基地局へ通知してもよい。さらに、ステップＳ２１４の処理は省略されてもよい。
【００６４】
また、（２）かつ（ｂ１）のケースでも、図６に示されたシーケンスと同様のシーケンスに従って、Resume設定変更処理が行われればよい。この場合には、ステップＳ２０９にてターゲット基地局がResume IDを変更する必要があると判定すると、ステップＳ２１０にて、ターゲット基地局は、回線設定情報の変更内容とともに変更後のResume ID'（少なくとも変更後のResume1 ID'を含む）をソース基地局へ通知すればよい。同様に、ステップＳ２１２にて、ソース基地局は、変更後の回線設定情報及び変更後のResume ID'を無線端末１２へ通知すればよい。そして無線端末１２は、ステップＳ２１４にて、変更後のResume ID'をAck信号に含め、かつ、ステップＳ２１５にて、変更後の回線設定情報を用いて無線回線を再接続し、変更後のResume ID'とともにアップリンクのデータをターゲット基地局へ送信すればよい。
【００６５】
図７は、（２）かつ、（ｂ２）または（ｂ３）のケースにおける、Resume設定変更処理を含む、無線通信処理のシーケンス図である。なお、図７に示されるシーケンスは、図６に示されるシーケンスと比較して、ステップＳ２２９以降の処理が異なる。そこで以下では、ステップＳ２２９以降の処理について説明する。
【００６６】
ステップＳ２０８の後、ターゲット基地局は、無線回線設定、上位回線設定及びResume IDの変更が必要か否かを判定する。そしてターゲット基地局は、上位回線設定及び無線回線設定の少なくとも何れかについて再設定処理を実行することが必要と判定したとする。この場合、ターゲット基地局は、回線設定情報のうち、再設定処理が不要な情報を事前に更新してもよい。さらに、ターゲット基地局は、無線端末１２に対して割り当てたResume IDをResume ID'に変更する。そしてターゲット基地局は、変更後の回線設定情報を変更後のResume ID'とともに記憶する（ステップＳ２２９）。さらに、ターゲット基地局は、回線再設定及び変更後のResume ID'をソース基地局へ通知する（ステップＳ２３０）。その後、ソース基地局は、無線端末１２に対するページング処理を行って、無線端末１２を呼び出す（ステップＳ２３１）。無線端末１２を呼び出した後、ソース基地局は、無線端末１２に対して、変更後のResume ID'を通知するとともに、回線設定情報の再設定を要求する（ステップＳ２３２）。
【００６７】
回線設定情報の再設定が無線端末１２に対して行われた後、ターゲット基地局と無線端末１２は、上位ノード１３とともに回線設定情報の再設定処理を実行する（ステップＳ２３３）。なお、再設定要求に、上位回線設定情報についての再設定が要求されている場合には、ターゲット基地局と無線端末１２は、Context setupなどの上位回線設定を含む回線設定処理を実行する。一方、再設定要求に、無線回線設定情報についての再設定が要求されている場合には、ターゲット基地局と無線端末１２は、ランダムアクセス手順を実行して無線回線設定情報を更新する。そしてターゲット基地局は、更新された変更後の回線設定情報を変更後のResume ID'とともに記憶する（ステップＳ２３４）。また、ターゲット基地局は、変更後の上位回線設定情報とResume2 ID'とを、上位ノード１３へ送信してもよい。
【００６８】
無線端末１２は、変更後の回線設定情報を、通知された変更後のResume ID'とともに記憶する（ステップＳ２３５）。
【００６９】
その後、無線端末１２は、Inactive stateとなっている間、通信を再開する際に、記憶している回線設定情報を利用して無線回線を再接続し、他の通信装置へのアップリンクのデータを変更後のResume ID'とともにターゲット基地局へ送信する（ステップＳ２３６）。その際、無線端末１２及びターゲット基地局は、例えば、非特許文献１に記載された方法に従って、通信再開時の回線設定を行ってもよい。そしてソース基地局、ターゲット基地局及び無線端末１２は無線通信処理を終了する。なお、このシーケンスにおいて、ステップＳ２０７〜Ｓ２３５が、Resume設定変更処理に含まれる。またこのシーケンスにおいて、図６に示されたシーケンスと同様に、ステップＳ２０５〜Ｓ２０７の代わりに、無線端末１２が接続先のセルを変更することを決定し、変更後の接続先のセルを選択して、選択したセルの識別情報をソース基地局へ通知してもよい。また変形例によれば、ステップＳ２３２にてソース基地局が変更後のResume ID'を無線端末１２へ通知する代わりに、ステップＳ２３３の後に、ターゲット基地局が変更後のResume ID'を無線端末１２へ通知してもよい。
【００７０】
次に、（３）のケース、すなわち、Resume2 IDまたは上位回線設定を維持できなくなったときにおける、Resume設定変更処理について説明する。
【００７１】
（３）のケースは、例えば、無線端末１２が授受するサービスの追加、変更または削除が生じた場合、あるいは、基地局１１の負荷状況に変化が生じ、その結果として、例えば、F-OFDMに関する設定など、システム情報の変更が必要になった場合などに発生する。
【００７２】
図８は、（３）かつ（ａ）のケースにおける、Resume設定変更処理を含む、無線通信処理のシーケンス図である。
基地局１１と無線端末１２は、例えば、ランダムアクセス手順に従って無線回線設定処理を実行する（ステップＳ３０１）。
【００７３】
また、基地局１１、無線端末１２及び上位ノード１３は、Context setupなどの上位回線設定を含む回線設定処理を実行する（ステップＳ３０２）。基地局１１は、無線回線設定情報にResume1 IDを割り当て、かつ、上位回線設定情報にResume2 IDを割り当てて、回線設定情報とともにResume IDを記憶する（ステップＳ３０３）。そして基地局１１は、Resume ID(Resume1 ID及びResume2 IDを含む)を無線端末１２へ通知する（ステップＳ３０４）。その際、基地局１１は、例えば、PDCCHまたはPDSCHを介して、Resume IDを通知すればよい。また、基地局１１は、Resume2 IDを、上位ノード１３へ送信する（ステップＳ３０５）。そして上位ノード１３は、上位回線設定情報とResume2 IDとを記憶する。また無線端末１２は、通知されたResume IDを、ステップＳ３０１及びＳ３０２の処理により設定された回線設定情報とともに記憶する。
【００７４】
その後、無線端末１２がConnected stateからInactive stateへ遷移した後に、上位回線設定情報を変更することが要求される事態が生じると、基地局１１は、上位回線設定情報を変更する（ステップＳ３０６）。また、上位回線設定情報の変更に伴って、無線回線設定情報及びResume1 IDについても変更が必要になった場合、基地局１１は、無線回線設定情報及びResume1 IDも変更する。そして基地局１１は、上位回線設定情報の変更点を上位ノード１３へ送信する（ステップＳ３０７）。
【００７５】
回線設定情報の変更後、基地局１１は、無線端末１２に対するページング処理を行って、無線端末１２を呼び出す（ステップＳ３０８）。無線端末１２を呼び出した後、基地局１１は、上位回線設定情報の変更点を、Resume2 IDが維持されることともに無線端末１２へ通知する（ステップＳ３０９）。なお、基地局１１は、Resume2 IDが維持されることの代わりに、既に設定されているResume2 IDを無線端末１２へ通知してもよい。さらに、無線回線設定情報についても変更されている場合には、基地局１１は、無線回線設定情報の変更点も無線端末１２へ通知する。同様に、Resume1 IDについても変更されている場合には、基地局１１は、変更後のResume1 ID'も無線端末１２へ通知する。
【００７６】
無線端末１２は、通知された変更点により、上位回線設定情報を更新する（ステップＳ３１０）。さらに、無線回線設定情報の変更点または変更されたResume1 ID'が通知されている場合、無線端末１２は、無線回線設定情報を更新し、あるいは、変更されたResume1 ID'を記憶する。
【００７７】
その後、無線端末１２は、Inactive stateとなっている間、通信を再開する際に、記憶している回線設定情報を利用して無線回線を再接続し、他の通信装置へのアップリンクのデータをResume IDとともに基地局１１へ送信する（ステップＳ３１１）。その際、無線端末１２及び基地局１１は、例えば、非特許文献１に記載された方法に従って、通信再開時の回線設定を行ってもよい。なお、この例では、Resume IDには、変更されていないResume2 IDと、変更されていないResume1 IDまたは変更されたResume1 ID'が含まれる。そして基地局１１、無線端末１２及び上位ノード１３は無線通信処理を終了する。なお、このシーケンスにおいて、ステップＳ３０６〜Ｓ３１０が、Resume設定変更処理に含まれる。
【００７８】
なお、変形例によれば、上位回線設定情報及びResume2 IDは、上位ノード１３で管理されてもよい。この場合には、ステップＳ３０３において、上位ノード１３がResume2 IDを無線端末１２に割り当ててもよい。またステップＳ３０６において、上位ノード１３が上位回線設定情報を変更してもよい。そしてステップＳ３０７において、上位ノード１３が変更された上位回線設定情報を基地局１１へ通知してもよい。
【００７９】
さらに他の変形例によれば、上位回線設定情報の変更に伴って、無線回線設定情報の再設定処理を行う必要がある場合には、基地局１１は、ステップＳ３０９において、無線回線設定情報の再設定を無線端末１２へ要求してもよい。そして基地局１１と無線端末１２は、ステップＳ３１０の前に、ランダムアクセス手順を実行して、無線回線設定情報を再設定してもよい。
【００８０】
また、（３）かつ（ｂ１）のケースでも、図８に示されたシーケンスと同様のシーケンスに従って、Resume設定変更処理が行われればよい。この場合には、ステップＳ３０６において、基地局１１は、Resume2 IDもResume2 ID'に変更し、ステップＳ３０７にて、上位回線設定情報の変更内容とともに、変更後のResume2 ID'を上位ノード１３へ通知する。さらに、ステップＳ３０９にて、基地局１１は、上位回線設定情報の変更内容を、変更後のResume2 ID'とともに無線端末１２へ通知する。ステップＳ３１０にて、無線端末１２は、通知された変更後の上位回線設定情報を、変更後のResume2 ID'とともに記憶する。そしてステップＳ３１１にて、無線端末１２は、アップリンクのデータをResume2 ID'を含む、変更後のResume ID'とともに基地局１１へ送信する。
【００８１】
図９は、（３）かつ、（ｂ２）または（ｂ３）のケースにおける、Resume設定変更処理を含む、無線通信処理のシーケンス図である。なお、図９に示されるシーケンスは、図８に示されるシーケンスと比較して、ステップＳ３２６以降の処理が異なる。そこで以下では、ステップＳ３２６以降の処理について説明する。
【００８２】
無線端末１２がConnected stateからInactive stateへ遷移した後に、上位回線設定情報の少なくとも一部について、無線端末１２との間で再設定処理が必要で、かつ、Resume2 IDを変更することが要求される事態が生じたとする。この場合、基地局１１は、上位回線設定情報のうち、再設定処理が不要な情報を事前に更新する（ステップＳ３２６）。なお、この更新処理は省略されてもよい。また、上位回線設定情報の変更に伴って、無線回線設定情報及びResume1 IDについても変更が必要になった場合、基地局１１は、無線回線設定情報及びResume1 IDも変更する。そして基地局１１は、上位回線設定情報の変更点及びResume2 IDを上位ノード１３へ送信する（ステップＳ３２７）。
【００８３】
回線設定情報の変更後、基地局１１は、無線端末１２に対するページング処理を行って、無線端末１２を呼び出す（ステップＳ３２８）。無線端末１２を呼び出した後、基地局１１は、無線端末１２に対して回線設定情報の再設定を要求する（ステップＳ３２９）。その際、無線回線設定情報について変更されている場合には、基地局１１は、変更後の無線回線設定情報も無線端末１２へ通知する。同様に、Resume1 IDが変更されている場合には、基地局１１は、変更後のResume1 ID'も無線端末１２へ通知する。そして基地局１１、無線端末１２及び上位ノード１３は、Context setupなどの上位回線設定を含む回線設定処理を再度実行することで、上位回線設定情報を変更する（ステップＳ３３０）。そして基地局１１は、Resume2 IDをResume2 ID'に変更し、変更後の上位回線設定情報とともに記憶する（ステップＳ３３１）。また、基地局１１は、変更後のResume2 ID'を、上位ノード１３及び無線端末１２へ通知する（ステップＳ３３２）。
【００８４】
無線端末１２は、通知された変更後のResume2 ID'を、変更後の上位回線設定情報とともに記憶する（ステップＳ３３３）。また無線回線設定情報の変更点または変更されたResume1 ID'が通知されている場合、無線端末１２は、変更された無線回線設定情報または変更されたResume1 ID'も記憶する。
【００８５】
その後、無線端末１２は、Inactive stateとなっている間、通信を再開する際に、記憶している回線設定情報を利用して無線回線を再接続し、他の通信装置へのアップリンクのデータを変更後のResume ID'とともに基地局１１へ送信する（ステップＳ３３４）。その際、無線端末１２及び基地局１１は、例えば、非特許文献１に記載された方法に従って、通信再開時の回線設定を行ってもよい。なお、この例では、変更後のResume ID'には、変更後のResume2 ID'と、変更されていないResume1 IDまたは変更されたResume1 ID'が含まれる。そして基地局１１、無線端末１２及び上位ノード１３は無線通信処理を終了する。なお、このシーケンスにおいて、ステップＳ３２６〜Ｓ３３３が、Resume設定変更処理に含まれる。
【００８６】
この場合においても、上位回線設定情報の変更に伴って無線回線設定情報の再設定処理を行う必要がある場合には、基地局１１は、ステップＳ３２９において、無線回線設定情報の再設定を無線端末１２へ要求してもよい。そして基地局１１と無線端末１２は、ステップＳ３３０の前、あるいは、ステップＳ３３０の後に、ランダムアクセス手順を実行して、無線回線設定情報を再設定してもよい。
【００８７】
次に、（４）のケース、すなわち、無線端末１２が接続されるセルまたはキャンプオンするセルが、基地局１１と接続される上位ノード１３とは異なる上位ノードと接続される他の基地局が提供するセルに変更になったときのResume設定変更処理について説明する。
【００８８】
（４）のケースは、例えば、（２）のケースが生じる条件と同様の条件において生じる。ただし、接続変更先のセルを提供するターゲット基地局と接続される上位ノードが、ソース基地局が接続される上位ノードと異なるときに、（４）のケースとなる。
【００８９】
なお、以下の説明では、ソース基地局が接続される上位ノード（例えば、上位ノード１３）をソース上位ノードと呼び、ターゲット基地局が接続される上位ノードをターゲット上位ノードと呼ぶ。
【００９０】
図１０は、（４）かつ（ａ）のケースにおける、Resume設定変更処理を含む、無線通信処理のシーケンス図である。
ソース基地局と無線端末１２は、例えば、ランダムアクセス手順に従って無線回線設定処理を実行する（ステップＳ４０１）。
【００９１】
また、ソース基地局、無線端末１２及びソース上位ノードは、Context setupなどの上位回線設定を含む回線設定処理を実行する（ステップＳ４０２）。そしてソース基地局は、無線端末１２についての無線回線設定情報にResume1 IDを割り当て、かつ、上位回線設定情報にResume2 IDを割り当てて、無線回線設定情報、上位回線設定情報及びResume IDを記憶する（ステップＳ４０３）。そしてソース基地局は、Resume ID(Resume1 ID及びResume2 IDを含む)を無線端末１２へ通知する（ステップＳ４０４）。その際、ソース基地局は、例えば、PDCCHまたはPDSCHを介して、Resume IDを通知すればよい。また、ソース基地局は、上位回線設定情報とResume2 IDとを、ソース上位ノードへ送信してもよい。そしてソース上位ノードは、上位回線設定情報とResume2 IDとを記憶する。また無線端末１２は、通知されたResume IDを、ステップＳ４０１及びＳ４０２の処理により設定された回線設定情報とともに記憶する。
【００９２】
無線端末１２は、ソース基地局との接続に利用しているセルだけでなく、他の基地局が提供するセルについての無線回線品質を測定する（ステップＳ４０５）。そして無線端末１２は、その無線回線品質測定結果を含むmeasurement reportを、ソース基地局へ送信する（ステップＳ４０６）。
【００９３】
無線端末１２がConnected stateからInactive stateへ遷移した後に、ソース基地局は、無線端末１２について接続またはキャンプオンするセルを変更することが求められる事態が生じると、無線端末１２が接続またはキャンプオンするセルを選択する（ステップＳ４０７）。その際、ソース基地局は、例えば、無線端末１２から受信した無線回線品質測定結果を参照して、例えば、最も無線回線品質が良いセル、あるいは、無線回線品質が所定の条件を満たすセルの中から何れかのセルを接続変更先のセルとして選択すればよい。そしてソース基地局は、接続変更先のセルを提供するターゲット基地局へ、ターゲット上位ノードを介して無線端末１２についての無線回線設定情報及びResume1 ID、上位回線設定情報及びResume2 IDを通知する（ステップＳ４０８）。
【００９４】
ターゲット基地局は、無線回線設定、上位回線設定及びResume IDの変更が必要か否かを判定する（ステップＳ４０９）。そしてターゲット基地局は、上位回線設定情報及び無線回線設定情報のそれぞれについて、変更の有無及びResume1 ID及びResume2 IDの変更の有無を判定する。そしてターゲット基地局は、上位回線設定情報及び無線回線設定情報のそれぞれについて、変更がある場合に、変更内容を記憶する。またターゲット基地局は、必要に応じて、Resume1 IDをResume1 ID'に変更する。なお、このケースでは、ターゲット基地局は、Resume2 IDを変更しない。そしてターゲット基地局は、無線回線設定情報及び上位回線設定情報に変更がある場合、回線設定情報の変更内容をソース基地局へ通知する（ステップＳ４１０）。さらに、ターゲット基地局は、Resume1 IDがResume1 ID'に変更されている場合、変更後のResume1 ID'をソース基地局へ通知する。さらにまた、ターゲット基地局は、Resume2 IDが維持されることもソース基地局へ通知する。なお、ターゲット基地局は、上位回線設定情報に変更が無い場合には、その旨をResume2 IDが維持されることとともにソース基地局へ通知してもよい。また、ターゲット基地局は、変更後の上位回線設定情報とResume2 IDとを、ターゲット上位ノードへ送信してもよい。
【００９５】
ソース基地局は、ターゲット基地局から回線設定情報の変更内容及びResume2 IDが維持されることを通知されると、無線端末１２に対するページング処理を行って、無線端末１２を呼び出す（ステップＳ４１１）。無線端末１２を呼び出した後、ソース基地局は、変更後の上位回線設定情報を、Resume2 IDが維持されることともに無線端末１２へ通知する（ステップＳ４１２）。なお、ソース基地局は、Resume2 IDが維持されることの代わりに、既に設定されているResume2 IDを無線端末１２へ通知してもよい。さらに、無線回線設定情報についても変更されている場合には、ソース基地局は、無線回線設定情報の変更内容も無線端末１２へ通知する。同様に、Resume1 IDについても変更されている場合には、ソース基地局は、変更後のResume1 ID'も無線端末１２へ通知する。なお、通知される無線回線設定情報には、ターゲット基地局が提供し、かつ、無線端末１２の接続先またはキャンプオン先となるセルの情報が含まれていてもよい。
【００９６】
そして無線端末１２は、通知された変更内容にて上位回線設定情報などを更新し、更新された上位回線設定情報などを、Resume IDとともに記憶する（ステップＳ４１３）。また、無線端末１２は、変更後の回線設定情報を利用して、回線設定情報が変更されたことを確認するAck信号をターゲット基地局へ送信する（ステップＳ４１４）。なお、Ack信号には、例えば、Resume IDが含まれていてもよい。さらに、Ack信号には、無線端末１２が受け取った、回線設定情報の変更内容または更新後の回線設定情報が含まれていてもよい。
【００９７】
その後、無線端末１２は、Inactive stateとなっている間、通信を再開する際に、記憶している回線設定情報を利用して無線回線を再接続し、他の通信装置へのアップリンクのデータをResume IDとともにターゲット基地局へ送信する（ステップＳ４１５）。その際、無線端末１２及びターゲット基地局は、例えば、非特許文献１に記載された方法に従って、通信再開時の回線設定を行ってもよい。そして各基地局、各上位ノード及び無線端末１２は無線通信処理を終了する。なお、このシーケンスにおいて、ステップＳ４０７〜Ｓ４１４が、Resume設定変更処理に含まれる。また、ステップＳ４０５〜Ｓ４０７の代わりに、無線端末１２が接続先のセルを変更することを決定し、変更後の接続先のセルを選択して、選択したセルの識別情報をソース基地局へ通知してもよい。さらに、ステップＳ４１４の処理は省略されてもよい。
【００９８】
なお、変形例によれば、上位回線設定情報及びResume2 IDは、上位ノードで管理されてもよい。この場合には、ステップＳ４０３にて、ソース上位ノードが無線端末１２についてのResume2 IDを割り当てればよい。また、ステップＳ４０８にて、ソース基地局からソース上位ノードへ、上位回線設定情報及びResume2 IDをターゲット上位ノードへ通知することが指示され、ソース上位ノードは、上位回線設定情報及びResume2 IDをターゲット上位ノードへ通知する。そしてステップＳ４０９において、ターゲット上位ノードが上位回線設定情報及びResume2 IDのそれぞれを変更するか否かを判定する。また、ステップＳ４１０において、ターゲット上位ノードは、上位回線設定情報の変更内容を、ソース上位ノードを介してソース基地局へ通知する。
【００９９】
また、（４）かつ（ｂ１）のケースでも、図１０に示されたシーケンスと同様のシーケンスに従って、Resume設定変更処理が行われればよい。この場合には、ステップＳ４０９にてターゲット基地局がResume2 IDを変更する必要があると判定すると、ターゲット基地局は、Resume2 IDをResume2 ID'に変更する。そしてステップＳ４１０にて、ターゲット基地局は、上位回線設定情報の変更内容とともに変更後のResume2 ID'をソース基地局へ通知すればよい。同様に、ステップＳ４１２にて、ソース基地局は、変更後の上位回線設定情報とともに変更後のResume2 ID'を無線端末１２へ通知すればよい。そして無線端末１２は、ステップＳ４１４にて、変更後のResume2 ID'をAck信号に含め、かつ、ステップＳ４１５にて、変更後のResume2 ID'とともにアップリンクのデータをターゲット基地局へ送信すればよい。
【０１００】
図１１は、（４）かつ、（ｂ２）または（ｂ３）のケースにおける、Resume設定変更処理を含む、無線通信処理のシーケンス図である。なお、図１１に示されるシーケンスは、図１０に示されるシーケンスと比較して、ステップＳ４２９以降の処理が異なる。そこで以下では、ステップＳ４３０以降の処理について説明する。
【０１０１】
ターゲット基地局は、無線回線設定、上位回線設定及びResume IDが通知された後、無線回線設定、上位回線設定及びResume IDの変更が必要か否かを判定する（ステップＳ４２９）。そしてターゲット基地局は、上位回線設定及び無線回線設定の少なくとも何れかについて再設定処理を実行することが必要と判定したとする。この場合、ターゲット基地局は、回線設定情報のうち、再設定処理が不要な情報を事前に更新してもよい。さらに、ターゲット基地局は、無線端末１２に対して割り当てたResume2 IDをResume2 ID'に変更する。また、ターゲット基地局は、無線端末１２に対して割り当てたResume1 IDを変更する必要がある場合には、Resume1 IDをResume1 ID'に変更する。そしてターゲット基地局は、回線再設定情報及び変更後のResume ID'(少なくともResume2 ID'を含む)をソース基地局へ通知する（ステップＳ４３０）。
【０１０２】
その後、ソース基地局は、無線端末１２に対するページング処理を行って、無線端末１２を呼び出す（ステップＳ４３１）。無線端末１２を呼び出した後、ソース基地局は、無線端末１２に対して、変更後のResume ID'を通知するとともに、回線設定情報の再設定を要求する（ステップＳ４３２）。
【０１０３】
回線設定情報の再設定が無線端末１２に対して行われた後、ターゲット基地局、ターゲット上位ノード及び無線端末１２は、回線設定情報の再設定処理を実行する（ステップＳ４３３）。なお、再設定要求に、上位回線設定情報についての再設定が要求されている場合には、ターゲット基地局、ターゲット上位ノード及び無線端末１２は、Context setupなどの上位回線設定を含む回線設定処理を実行する。一方、再設定要求に、無線回線設定情報についての再設定が要求されている場合には、ターゲット基地局と無線端末１２は、ランダムアクセス手順を実行して無線回線設定情報を更新する。そしてターゲット基地局は、更新された変更後の回線設定情報を変更後のResume ID'とともに記憶する（ステップＳ４３４）。また、ターゲット基地局は、変更後の上位回線設定情報とResume2 ID'とを、ターゲット上位ノードへ送信してもよい。
【０１０４】
無線端末１２は、再設定された回線設定情報を、通知された変更後のResume ID'とともに記憶する（ステップＳ４３５）。
【０１０５】
その後、無線端末１２は、Inactive stateとなっている間、通信を再開する際に、記憶している回線設定情報を利用して無線回線を再接続し、他の通信装置へのアップリンクのデータを変更後のResume ID'とともにターゲット基地局へ送信する（ステップＳ４３６）。その際、無線端末１２及びターゲット基地局は、例えば、非特許文献１に記載された方法に従って、通信再開時の回線設定を行ってもよい。そして各基地局、各上位ノード及び無線端末１２は無線通信処理を終了する。なお、このシーケンスにおいて、ステップＳ４０７〜Ｓ４３５が、Resume設定変更処理に含まれる。またこのシーケンスにおいて、図１０に示されたシーケンスと同様に、ステップＳ４０５〜Ｓ４０７の代わりに、無線端末１２が接続先のセルを変更することを決定し、変更後の接続先のセルを選択して、選択したセルの識別情報をソース基地局へ通知してもよい。また変形例によれば、ステップＳ４３２にてソース基地局が変更後のResume ID'を無線端末１２へ通知する代わりに、ステップＳ４３３の後に、ターゲット基地局が変更後のResume ID'を無線端末１２へ通知してもよい。
【０１０６】
図１２は、基地局１１の概略構成図である。基地局１１は、アンテナ２１と、無線処理部２２と、有線インターフェース部２３と、記憶部２４と、制御部２５とを有する。無線処理部２２、記憶部２４及び制御部２５は、それぞれ別個の回路として形成される。あるいはこれらの各部は、その各部に対応する回路が集積された一つまたは複数の集積回路として基地局１１に実装されてもよい。
【０１０７】
アンテナ２１は、無線処理部２２を介して伝達されたダウンリンク信号を無線信号として送信する。またアンテナ２１は、無線端末１２からのアップリンク信号を含む無線信号を受信して電気信号に変換し、その電気信号をアップリンク信号として無線処理部２２に伝達する。なお、アンテナ２１は、送信用のアンテナと受信用のアンテナとを別個に有していてもよい。また、無線処理部２２は、ダウンリンク信号を送信（通知）することから、無線送信部（無線通知部）の一例である。
【０１０８】
無線処理部２２は、制御部２５から受け取ったダウンリンク信号をアナログ化した後、制御部２５により指定された無線周波数を持つ搬送波に重畳する。そして無線処理部２２は、搬送波に重畳されたダウンリンク信号をハイパワーアンプ（図示せず）により所望のレベルに増幅し、そのダウンリンク信号をアンテナ２１へ伝達する。
【０１０９】
また無線処理部２２は、アンテナ２１から受け取ったアップリンク信号を、低ノイズアンプ（図示せず）により増幅する。無線処理部２２は、増幅されたアップリンク信号に、中間周波数を持つ周期信号を乗じることにより、そのアップリンク信号の周波数を無線周波数からベースバンド周波数に変換する。そして無線処理部２２は、ベースバンド周波数を持つアップリンク信号をアナログ／デジタル変換した後、制御部２５へ渡す。なお、無線処理部２２は、アップリンク信号を受信することから、無線受信部の一例である。
【０１１０】
有線インターフェース部２３は、基地局１１を、上位ノード１３及び他の基地局と接続するための通信インターフェース回路を有する。そして有線インターフェース部２３は、上位ノード１３から受信した信号を、S1インターフェースに従って解析し、その信号に含まれるダウンリンク信号及び制御信号を抽出する。さらに有線インターフェース部２３は、他の基地局から受信した信号を、X2インターフェースに従って解析し、その信号に含まれる制御信号（例えば、回線設定情報またはその変更点、あるいはResume ID）を抽出する。そして有線インターフェース部２３は、抽出したダウンリンク信号及び制御信号を制御部２５に渡す。なお、有線インターフェース部２３は、上位ノード１３からの信号を受信することから、受信部の一例である。
【０１１１】
一方、有線インターフェース部２３は、制御部２５から受け取ったアップリンク信号をS1インターフェースに従った形式の信号に変換した上で上位ノード１３へ出力する。また有線インターフェース部２３は、他の基地局へ送信する制御信号（例えば、回線設定情報またはその変更点、あるいはResume ID）を、X2インターフェースに従った形式に変換する。そして有線インターフェース部２３は、その制御信号を他の基地局へ出力（または送信あるいは通知）する。なお、有線インターフェース部２３は、他の基地局へ制御信号を送信または通知することから、通知部（または送信部）の一例でもある。
【０１１２】
記憶部２４は、例えば、書き換え可能な不揮発性半導体メモリまたは揮発性半導体メモリを有する。そして記憶部２４は、無線端末１２と通信するための各種の情報、基地局１１が送信または受信する各種の情報、及び、基地局１１で動作する各種のプログラムなどを記憶する。本実施形態では、記憶部２４は、自局と接続されている無線端末についてのResume機能に関する情報、すなわち、上位回線設定情報及び無線回線設定情報と、Resume1 ID及びResume2 IDを記憶する。
【０１１３】
制御部２５は、例えば、１個あるいは複数個のプロセッサ及びその周辺回路を有する。そして制御部２５は、ダウンリンク信号を、無線通信システム１が準拠する通信規格で採用される変調及び多重化方式に従って変調し、かつ多重化する。そして制御部２５は、変調及び多重化されたダウンリンク信号を無線処理部２２へ渡す。例えば、制御部２５は、F-OFDMに従ってダウンリンク信号を変調し、多重化する。
【０１１４】
一方、制御部２５は、無線処理部２２から受け取ったアップリンク信号を、無線通信システム１が準拠する通信規格で採用される変調及び多重化方式に従って分離し、分離した受信信号をそれぞれ復調する。例えば、制御部２５は、F-OFDMに従ってアップリンク信号を分離し、復調する。そして制御部２５は、復調されたアップリンク信号を有線インターフェース部２３に出力する。さらに制御部２５は、復調されたアップリンク信号から、基地局１１が参照する各種の信号、例えば、呼制御に関する制御情報、あるいは、無線端末１２における通信品質測定情報などを取り出す。
【０１１５】
また制御部２５は、送信電力制御及び呼制御など、無線通信を実行するための各種の処理を実行する。さらに、制御部２５は、無線端末１２について無線回線設定処理を行って得られた無線回線設定情報に、Resume1 IDを付す。また制御部２５は、無線端末１２について回線設定処理を行って得られた上位回線設定情報に、Resume2 IDを付す。
【０１１６】
さらに、制御部２５は、無線端末１２について設定された無線回線設定情報及びResume1 IDの少なくとも何れかについて変更を要する条件が生じたときに、無線回線設定情報及びResume1 IDの少なくとも一方を変更するための制御を実行する。同様に、制御部２５は、無線端末１２について設定された上位回線設定情報及びResume2 IDの少なくとも何れかについて変更を要する条件が生じたときに、上位回線設定情報及びResume2 IDの少なくとも一方を変更するための制御を実行する。
【０１１７】
例えば上記のように、制御部２５は、自局の負荷状況、無線端末１２に対して提供するサービスの変更の有無、QoSの変更の有無あるいはシステム情報の変更の有無などに基づいて、上記の変更を要する条件が生じたか否かを判定すればよい。そして制御部２５は、変更を要する条件が生じたと判定した場合、無線回線設定情報及び上位回線設定情報のうちのその条件に対応する回線設定情報と、対応するResume ID(Resume1 IDまたはResume2 ID)の少なくとも何れかを変更する。その際、制御部２５は、図２〜図１１に示されたシーケンスの何れかに従って、回線設定情報またはResume IDを変更すればよい。そして制御部２５は、例えば、回線設定情報の変更内容または変更されたResume IDを含むダウンリンク信号を生成し、無線処理部２２及びアンテナ２１を介して無線端末１２へ送信する。あるいは、制御部２５は、例えば、回線設定情報の変更内容または変更されたResume IDを含む制御信号を、有線インターフェース部２３を介して上位ノード１３または他の基地局へ送信する。また制御部２５は、Inactive stateにある無線端末１２が回線設定情報を用いて通信を再開する際の制御を実行する。
【０１１８】
図１３は、無線端末１２の概略構成図である。無線端末１２は、アンテナ３１と、無線処理部３２と、記憶部３３と、制御部３４とを有する。さらに、無線端末１２は、タッチパネルといったユーザインターフェース（図示せず）、マイクロホン（図示せず）、スピーカ（図示せず）及びカメラ（図示せず）のうちの一つ以上を有していてもよい。さらにまた、無線端末１２は、無線端末１２の位置を測定するために、Global Positioning System(GPS)受信機（図示せず）を有していてもよい。また、無線処理部３２、記憶部３３及び制御部３４は、それぞれ別個の回路として形成される。あるいはこれらの各部は、その各部に対応する回路が集積された一つまたは複数の集積回路として無線端末１２に実装されてもよい。
【０１１９】
アンテナ３１は、無線処理部３２を介して伝達されたアップリンク信号を無線信号として送信する。またアンテナ３１は、基地局１１からの無線信号を受信して電気信号に変換してダウンリンク信号とし、ダウンリンク信号を無線処理部３２に伝達する。なお、アンテナ３１は、送信用のアンテナと受信用のアンテナとを別個に有していてもよい。
【０１２０】
無線処理部３２は、制御部３４から受け取ったアップリンク信号をアナログ化した後、制御部３４により指定された無線周波数を持つ搬送波に重畳する。そして無線処理部３２は、搬送波に重畳されたアップリンク信号をハイパワーアンプ（図示せず）により所望のレベルに増幅し、そのアップリンク信号をアンテナ３１へ伝達する。
【０１２１】
また無線処理部３２は、アンテナ３１から受け取ったダウンリンク信号を、低ノイズアンプ（図示せず）により増幅する。無線処理部３２は、増幅されたダウンリンク信号に、中間周波数を持つ周期信号を乗じることにより、そのダウンリンク信号の周波数を無線周波数からベースバンド周波数に変換する。そして無線処理部３２は、ベースバンド周波数を持つダウンリンク信号をアナログ／デジタル変換した後、制御部３４へ渡す。
【０１２２】
記憶部３３は、例えば、書き換え可能な不揮発性半導体メモリまたは揮発性半導体メモリを有する。そして記憶部３３は、基地局１１と通信するための各種の情報、無線端末１２が送信または受信する各種の情報、及び、無線端末１２で動作する各種のプログラムなどを記憶する。さらに、記憶部３３は、Resume機能に関する情報、すなわち、無線回線設定情報、上位回線設定情報、Resume1 ID及びResume2 IDを記憶する。
【０１２３】
制御部３４は、例えば、１個あるいは複数個のプロセッサ及びその周辺回路を有する。そして制御部３４は、アップリンク信号を、無線通信システム１が準拠する通信規格で採用される変調及び多重化方式に従って変調し、かつ多重化する。そして制御部３４は、変調及び多重化されたアップリンク信号を無線処理部３２へ渡す。例えば、制御部３４は、F-OFDMAに準じた多重化方式に従ってアップリンク信号を変調し、多重化する。
【０１２４】
一方、制御部３４は、無線処理部３２から受け取ったダウンリンク信号を、無線通信システム１が準拠する通信規格で採用される変調及び多重化方式に従って分離し、分離した受信信号をそれぞれ復調する。例えば、制御部３４は、F-OFDMに従ってダウンリンク信号を分離し、復調する。そして制御部３４は、復調された受信信号に含まれる各種の制御情報またはデータを取り出す。そして制御部３４は、取り出された制御情報またはデータに応じた処理を実行する。例えば、制御部３４は、ダウンリンク信号に音声信号が含まれる場合、その音声信号をスピーカを介して再生する。また制御部３４は、ダウンリンク信号にビデオ信号が含まれる場合、そのビデオ信号をタッチパネルを介して再生する。
【０１２５】
さらに制御部３４は、接続要求処理など、基地局１１との無線通信を実行するための各種の処理を実行する。さらに制御部３４は、受信した無線信号の品質を測定する処理を実行してもよい。
【０１２６】
また制御部３４は、Resume機能に関する処理、例えば、Connected stateからInactive stateへの移行またはその逆といった処理、及び、無線端末１２がInactive stateにある場合における、無線回線設定情報などを用いた通信の再開などの処理を実行する。さらに、制御部３４は、無線回線設定情報、上位回線設定情報及びResume IDの何れかに変更が生じた場合に、図２〜図１１に示されたシーケンスの何れかに従って、無線回線設定情報、上位回線設定情報及びResume IDのうちの少なくとも何れかを変更する。
【０１２７】
以上に説明してきたように、この無線通信システムは、Resume機能に関する情報を無線回線設定情報と上位回線設定情報とに分け、無線回線設定情報と上位回線設定情報のそれぞれに、個別の識別情報を付して管理する。そして基地局は、無線端末がInactive stateとなっているときに、無線回線設定情報または上位回線設定情報について変更を求められる事態が生じた場合、回線設定情報の変更内容を無線端末に通知するか、回線設定情報を無線端末とともに再設定する。これにより、この無線通信システムは、無線端末がInactive stateとなって通信を停止している期間中において、その無線端末について維持されている回線設定情報を変更することができる。そのため、この無線通信システムでは、Inactive stateとなって通信を停止している無線端末について維持されている回線設定情報が変更されても、変更後の回線設定情報が利用できるので、無線端末が通信を再開する手順が簡単化される。
【０１２８】
なお、変形例によれば、Resume1 IDと無線回線設定情報との対応関係を表すマッピングテーブルが基地局と無線端末とに予め記憶されてもよい。そして図２〜図１１の何れかのシーケンスに従って無線回線設定情報またはResume1 IDが変更される場合、基地局は、無線回線設定情報の変更点を通知する代わりに、変更後の無線回線設定情報に対応するResume1 IDを無線端末へ通知すればよい。また、無線回線設定情報の再設定が行われる場合には、基地局及び無線端末は、マッピングテーブルを参照することで、再設定後の無線回線設定情報に対応するResume1 IDを特定できる。
【０１２９】
同様に、Resume2 IDと上位回線設定情報との対応関係を表すマッピングテーブルが基地局と無線端末とに予め記憶されてもよい。そして図２〜図１１の何れかのシーケンスに従って上位回線設定情報またはResume2 IDが変更される場合、基地局は、上位回線設定情報の変更点を通知する代わりに、変更後の上位回線設定情報に対応するResume2 IDを無線端末１２へ通知すればよい。また、上位回線設定情報の再設定が行われる場合には、基地局及び無線端末は、マッピングテーブルを参照することで、再設定後の上位回線設定情報に対応するResume2 IDを特定できる。
【０１３０】
なお、Resume1 IDと無線回線設定情報との対応関係を表すマッピングテーブル及びResume2 IDと上位回線設定情報との対応関係を表すマッピングテーブルは、例えば、工場出荷時において、基地局及び無線端末にインストールされてもよい。あるいは、Resume1 IDと無線回線設定情報との対応関係を表すマッピングテーブル及びResume2 IDと上位回線設定情報との対応関係を表すマッピングテーブルは、基地局の設置時において、基地局にインストールされてもよい。そして無線端末は、基地局と無線回線設定及び上位回線設定を行ったときに、それらのマッピングテーブルを基地局から受信してもよい。この変形例によれば、無線通信システムは、回線設定情報に変更が生じても、回線設定情報の変更内容を基地局と無線端末間で伝送しなくてもよいので、回転設定情報の変更時の通信量を軽減できる。
【０１３１】
さらに、基地局は、無線端末または他の基地局へ回線設定情報の変更内容を通知する代わりに、変更された回線設定情報そのものを通知してもよい。
【０１３２】
ここに挙げられた全ての例及び特定の用語は、読者が、本発明及び当該技術の促進に対する本発明者により寄与された概念を理解することを助ける、教示的な目的において意図されたものであり、本発明の優位性及び劣等性を示すことに関する、本明細書の如何なる例の構成、そのような特定の挙げられた例及び条件に限定しないように解釈されるべきものである。本発明の実施形態は詳細に説明されているが、本発明の精神及び範囲から外れることなく、様々な変更、置換及び修正をこれに加えることが可能であることを理解されたい。
【符号の説明】
【０１３３】
１    無線通信システム
１１    基地局
１２    無線端末
１３    上位ノード
２１、３１    アンテナ
２２、３２    無線処理部
２３    有線インターフェース部
２４、３３    記憶部
２５、３４    制御部
【図１】
2018142479.tif 000003
【図２】
2018142479.tif 000004
【図３】
2018142479.tif 000005
【図４】
2018142479.tif 000006
【図５】
2018142479.tif 000007
【図６】
2018142479.tif 000008
【図７】
2018142479.tif 000009
【図８】
2018142479.tif 000010
【図９】
2018142479.tif 000011
【図１０】
2018142479.tif 000012
【図１１】
2018142479.tif 000013
【図１２】
2018142479.tif 000014
【図１３】
2018142479.tif 000015
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
基地局であって、
無線端末へ無線信号を送信し、または前記無線端末からの無線信号を受信する無線処理部と、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を、前記無線処理部を介して前記無線端末へ送信する制御部と、
を有する基地局。
【請求項２】
前記制御部は、前記無線回線が切断され、かつ、前記上位回線が維持されているときに、前記第１の設定情報を識別するための第１の識別情報及び前記第２の設定情報を識別するための第２の識別情報の何れかが変更されると、前記第１の識別情報及び前記第２の識別情報のうちの当該変更された識別情報を、前記無線処理部を介して前記無線端末へ送信する、請求項１に記載の基地局。
【請求項３】
前記制御部は、前記無線回線が切断され、かつ、前記上位回線が維持されているときに、前記第１の設定情報を前記基地局と前記無線端末間で再設定する場合、前記無線処理部を介して前記無線端末へ前記第１の設定情報の再設定を要求し、かつ、当該再設定により前記第１の設定情報を更新する、請求項１または２に記載の基地局。
【請求項４】
前記制御部は、前記無線回線が切断され、かつ、前記上位回線が維持されているときに、前記第２の設定情報を前記基地局と前記無線端末と前記上位ノード間で再設定する場合、前記無線処理部を介して前記無線端末へ前記第２の設定情報の再設定を要求し、かつ、当該再設定により前記第２の設定情報を更新する、請求項１〜３の何れか一項に記載の基地局。
【請求項５】
基地局と、無線端末とを有する無線通信システムであって、
前記基地局は、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を前記無線端末へ送信し、
前記無線端末は、
前記無線回線が切断され、かつ、前記上位回線が維持されているときにおいて、前記変更された設定情報に基づいて前記無線回線を再接続して他の通信装置と通信する、
無線通信システム。
【請求項６】
無線端末であって、
基地局へ無線信号を送信し、または前記基地局からの無線信号を受信する無線処理部と、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を、前記無線処理部を介して受信し、当該変更された設定情報に基づいて前記無線回線を再接続して他の通信装置への信号を含む無線信号を前記無線処理部を介して前記基地局へ送信する制御部と、
を有する無線端末。
【請求項７】
基地局と、無線端末とを有する無線通信システムにおける無線通信方法であって、
前記基地局により、
前記無線端末と前記基地局間の無線回線が切断され、かつ、前記無線端末が前記基地局を介して通信するために用いられる前記基地局と上位ノード間の上位回線が維持されているときに、前記無線回線を設定するための第１の設定情報及び前記上位回線を設定するための第２の設定情報の何れかが変更されると、前記第１の設定情報及び前記第２の設定情報のうちの当該変更された設定情報を前記無線端末へ送信し、
前記無線端末により、
前記無線回線が切断され、かつ、前記上位回線が維持されているときにおいて、前記変更された設定情報に基づいて前記無線回線を再接続して他の通信装置と通信する、
ことを含む無線通信方法。
【国際調査報告】
2018142479.tif 000016
2018142479.tif 000017
2018142479.tif 000018